(57)【要約】【課題】マスターディスクと被転写用の磁気ディスクとを密着挟持するディスクホルダを有する磁気転写装置の転写ユニットにおいて、２枚のマスターディスクで被転写用の磁気ディスクを平行度良く密着挟持することのできる転写ユニットを提供すること。【解決手段】被転写用ディスクとマスターディスクとを挟持し、転写用磁界を印加して被転写用ディスクにマスターディスクの情報を磁気的に転写する磁気転写装置１の被転写用ディスクとマスターディスクとを挟持する転写ユニット１０において、第１のディスクホルダ１１と、第１のディスクホルダ１１に対向配置された第２のディスクホルダ１２と、第１のディスクホルダ１１と第２のディスクホルダ１２とのうち少なくともどちらか一方の姿勢を調整するチルチング調整手段２３とを設けた。【選択図】      図３
2006185503.tif 000002
【特許請求の範囲】
【請求項１】
被転写用ディスクと、被転写用ディスクの磁性層に対して情報を転写するためのパターン状の磁性層を備えたマスターディスクとを挟持し、転写用磁界を印加して前記被転写用ディスクの磁性層に前記マスターディスクの情報を磁気的に転写する磁気転写装置の前記被転写用ディスクとマスターディスクとを挟持する転写ユニットにおいて、
第１のディスクホルダと、
第１のディスクホルダに対向配置された第２のディスクホルダと、
第１のディスクホルダと第２のディスクホルダとのうち少なくともどちらか一方の姿勢を調整するチルチング調整手段と、
第１のディスクホルダと第２のディスクホルダとのうち少なくともどちらか一方を他方に対して接離移動させる移動手段と、を有することを特徴とする転写ユニット。
【請求項２】
前記チルチング調整手段は回転軸心を形成する軸心部材と、前記回転軸心から離間した調整点で前記第１のディスクホルダ又は第２のディスクホルダに作用して第１のディスクホルダ又は第２のディスクホルダの姿勢を調整する調整部材とを有し、
前記マスターディスクの中心が前記回転軸心上又は前記回転軸心と前記調整点との間に配置されることを特徴とする請求項１に記載の転写ユニット。
【請求項３】
前記チルチング調整手段は回転軸心を形成する軸心部材と、前記回転軸心から離間した調整点で前記第１のディスクホルダ又は第２のディスクホルダに作用して第１のディスクホルダ又は第２のディスクホルダの姿勢を調整する調整部材とを有し、
前記調整部材は、前記マスターディスクの中心の回りに配置された複数の調整ボルトからなることを特徴とする請求項１に記載の転写ユニット。
【請求項４】
前記チルチング調整手段は、先端が前記第１のディスクホルダ又は第２のディスクホルダに当接する少なくとも３個の調整ボルトを有し、
そのうちの２個の調整ボルトで前記軸心部材を構成して、該２個の調整ボルトの先端を結ぶ直線で前記回転軸心を形成し、
他の調整ボルトで前記調整部材を構成して、該調整ボルトの先端で前記調整点を形成することを特徴とする請求項２又は請求項３に記載の転写ユニット。
【請求項５】
前記チルチング調整手段は、
第１の回転軸心を形成する軸心部材、及び第１の回転軸心から離間した調整点で前記第１のディスクホルダ又は第２のディスクホルダに作用して第１のディスクホルダ又は第２のディスクホルダの姿勢を調整する１個の調整部材で構成される第１の調整手段と、
前記第１の回転軸心と略直交方向の第２の回転軸心を形成する軸心部材、及び第２の回転軸心から離間した調整点で前記第１のディスクホルダ又は第２のディスクホルダに作用して第１のディスクホルダ又は第２のディスクホルダの姿勢を調整する１個の調整部材で構成される第２の調整手段と、を有したことを特徴とする請求項１又は請求項２に記載の転写ユニット。
【請求項６】
前記回転軸心と前記調整点との距離が、前記マスターディスクの外径の１倍乃至１５倍であることを特徴とする請求項２、３、４、又は５のうちいずれか１項に記載の転写ユニット。
【請求項７】
前記請求項１乃至請求項６のいずれかに記載の転写ユニットを備えたことを特徴とする磁気転写装置。
【請求項８】
前記請求項７に記載の磁気転写装置によってマスターディスクの情報が磁気転写された被転写用ディスクからなる磁気記録媒体。
【発明の詳細な説明】
【技術分野】
【０００１】
本発明は、磁気転写装置、転写ユニット、及び磁気記録媒体に係り、特にハードディスク装置等に用いられる磁気記録媒体に、マスターディスクからフォーマット情報等の磁気情報パターンを転写する磁気転写装置、磁気記録媒体及びマスターディスクを保持する転写ユニット、及び情報が磁気転写された磁気記録媒体に関する。
【背景技術】
【０００２】
ハードディスク装置やフレキシブルディスク装置等に用いられる高密度磁気記録媒体である磁気ディスクは、高速アクセスが可能であるとともに情報記録容量のより大容量化が求められている。
【０００３】
この大容量化を実現するために、トラック幅はより狭トラック化され、この狭いトラック幅の中で磁気ヘッドを正確に走査する、いわゆるトラッキングサーボ技術が重要な役割を担っている。
【０００４】
磁気ディスクには、所定の間隔でトラッキング用のサーボ信号やアドレス情報信号、及び再生クロック信号等がトラッキングサーボを行うためにプリフォーマットとして記録されている。
【０００５】
このプリフォーマットを正確にかつ短時間で効率的に行う方法として、本出願人は、高密度磁気記録媒体となる被転写用ディスク（以下スレーブディスクと呼称する）に転写すべき情報に対応した凹凸パターンの磁性層を有するマスターディスクを用意するとともに、スレーブディスクの磁性層を予めトラックの一方向に初期磁化し、その後、この初期磁化されたスレーブディスクとマスターディスクとを密着させた状態で初期磁化方向と略逆向きの転写用磁界を印加する磁気転写方法を提案している（例えば、特許文献１参照。）。
【０００６】
この場合、スレーブディスクの磁性層とマスターディスクの磁性層とをディスクホルダで密着挟持した状態で磁気転写を行うが、本出願人は、ディスクホルダの中心部に位置決めピンを設け、マスターディスクとスレーブディスクの位置合せを容易にしたディスクホルダを提案している（例えば、特許文献２参照。）。
【０００７】
このディスクホルダは、例えば図７に示すようなディスクホルダ１１０で、ホルダ本体１１１、押圧ホルダ１１２で構成されている。ホルダ本体１１１は内面（ディスク受け面）１１１Ａと縁部１１１Ｂとを有する凹状円盤で、内面１１１Ａの中心部に位置決めピン１１３が設けられている。位置決めピン１１３とマスターディスク３の中心孔３Ａ、及びスレーブディスク２の中心孔２Ａとが嵌合して夫々位置決めされる。
【０００８】
押圧ホルダ１１２は内面１１２Ａと縁部１１２Ｂとを有した凹状円盤で、内面１１２Ａの中心部にマスターディスク４が接着又は真空吸着されている。また、押圧ホルダ１１２の縁部１１２Ｂに設けられたＯ−リングからなるシール材１１４とホルダ本体１１１の縁部１１１Ｂ内面とで密閉された内部空間７が形成される。また、ホルダ本体１１１には図示しない真空経路が形成されており、内部空間７を負圧にすることでマスターディスク３、スレーブディスク２、及びマスターディスク４を密着挟持する。
【０００９】
また、ホルダ本体１１１、及び押圧ホルダ１１２は夫々支持軸１１５、１１６で支持されるとともに、回転されるようになっている。
【特許文献１】特開２００１−０１４６６７号公報
【特許文献２】特開２００３−２７２１４０号公報
【発明の開示】
【発明が解決しようとする課題】
【００１０】
ところで、スレーブディスクを２枚のマスターディスクで密着挟持する際に、両側のマスターディスクの平行度が悪いとスレーブディスクとの間で片当たりによる密着不良が発生し、信号抜けや信号変形等の転写不良が発生する。
【００１１】
そのため、前述の特許文献１及び特許文献２で開示された磁気転写方法においても、２枚のマスターディスクを保持する１対のディスクホルダの夫々のディスク保持面同士の平行度を厳しく管理しなければならないという課題を有していた。
【００１２】
本発明は、このような事情に鑑みてなされたもので、マスターディスクと被転写用の磁気ディスクとを密着挟持するディスクホルダを有する磁気転写装置の転写ユニットにおいて、２枚のマスターディスクで被転写用の磁気ディスクを平行度良く密着挟持することのできる転写ユニットを提供し、信号抜けや信号変形等の転写不良が発生しない磁気転写装置を提供するとともに、信号抜けや信号変形等の転写不良のない磁気記録媒体を提供することを目的とする。
【課題を解決するための手段】
【００１３】
本発明は、前記目的を達成するために、被転写用ディスクと、被転写用ディスクの磁性層に対して情報を転写するためのパターン状の磁性層を備えたマスターディスクとを挟持し、転写用磁界を印加して前記被転写用ディスクの磁性層に前記マスターディスクの情報を磁気的に転写する磁気転写装置の前記被転写用ディスクとマスターディスクとを挟持する転写ユニットにおいて、第１のディスクホルダと、第１のディスクホルダに対向配置された第２のディスクホルダと、第１のディスクホルダと第２のディスクホルダとのうち少なくともどちらか一方の姿勢を調整するチルチング調整手段と、第１のディスクホルダと第２のディスクホルダとのうち少なくともどちらか一方を他方に対して接離移動させる移動手段と、を有することを特徴とする。
【００１４】
本発明によれば、転写ユニットには第１のディスクホルダと第２のディスクホルダとのうち少なくともどちらか一方の姿勢を調整するチルチング調整手段が設けられているので、第１のディスクホルダと第２のディスクホルダの夫々のディスク保持面同士の平行度を良好に調整することができ、２枚のマスターディスクで被転写用の磁気ディスクを平行度良く密着挟持することができる。
【００１５】
また本発明は、前記発明において、前記チルチング調整手段は回転軸心を形成する軸心部材と、前記回転軸心から離間した調整点で前記第１のディスクホルダ又は第２のディスクホルダに作用して第１のディスクホルダ又は第２のディスクホルダの姿勢を調整する調整部材とを有し、前記マスターディスクの中心が前記回転軸心上又は前記回転軸心と前記調整点との間に配置されることを特徴とする。このため、調整点での調整量に対する調整倍率が低いので高精度な調整が可能になる。
【００１６】
また本発明は、前記発明において、前記チルチング調整手段は回転軸心を形成する軸心部材と、前記回転軸心から離間した調整点で前記第１のディスクホルダ又は第２のディスクホルダに作用して第１のディスクホルダ又は第２のディスクホルダの姿勢を調整する調整部材とを有し、前記調整部材は、前記マスターディスクの中心の回りに配置された複数の調整ボルトからなることを特徴とする。
【００１７】
これによれば、姿勢を調整する調整ボルトがマスターディスクの中心の回りに配置されているので、調整点での調整量に対する調整倍率が低く高精度な調整が可能になる。
【００１８】
また本発明は、前記発明において、前記チルチング調整手段は、先端が前記第１のディスクホルダ又は第２のディスクホルダに当接する少なくとも３個の調整ボルトを有し、そのうちの２個の調整ボルトで前記軸心部材を構成して、該２個の調整ボルトの先端を結ぶ直線で前記回転軸心を形成し、他の調整ボルトで前記調整部材を構成して、該調整ボルトの先端で前記調整点を形成することを特徴とする。
【００１９】
これによれば、少なくとも３個の調整ボルトによって直交する２軸方向のチルチング調整を容易に行うことができる。
【００２０】
また本発明は、前記発明において、前記チルチング調整手段は、第１の回転軸心を形成する軸心部材、及び第１の回転軸心から離間した調整点で前記第１のディスクホルダ又は第２のディスクホルダに作用して第１のディスクホルダ又は第２のディスクホルダの姿勢を調整する１個の調整部材で構成される第１の調整手段と、前記第１の回転軸心と略直交方向の第２の回転軸心を形成する軸心部材、及び第２の回転軸心から離間した調整点で前記第１のディスクホルダ又は第２のディスクホルダに作用して第１のディスクホルダ又は第２のディスクホルダの姿勢を調整する１個の調整部材で構成される第２の調整手段と、を有したことを特徴とする。
【００２１】
これによれば、略直交する２軸方向のチルチング調整を夫々別々に行うことができ、直交する２軸方向のチルチング調整を容易に行うことができる。
【００２２】
また本発明は、前記発明において、前記回転軸心と前記調整点との距離が、前記マスターディスクの外径の１倍乃至１５倍であることを特徴とする。これによれば、回転軸心と調整点との距離がマスターディスクの外径の１倍乃至１５倍あるので、転写ユニットの外形寸法を必要以上に増大させることなく第１のディスクホルダ又は第２のディスクホルダの姿勢を精度良く調整することができる。
【００２３】
本発明の磁気転写装置は、前述の発明に係る転写ユニットを備えたことを特徴とする磁気転写装置であり、２枚のマスターディスクとスレーブディスクとの間の片当たりによる密着不良によって信号抜けや信号変形等の転写不良が発生することがない。
【００２４】
また本発明の磁気記録媒体は、前述の発明に係る磁気転写装置によってマスターディスクの情報が磁気転写された被転写用ディスクからなる磁気記録媒体であり、信号抜けや信号変形等の転写不良を有しない。
【発明の効果】
【００２５】
以上説明したように本発明に係る被転写用ディスクを２枚のマスターディスクで密着挟持する磁気転写装置の転写ユニットによれば、転写ユニットには、第１のディスクホルダと第２のディスクホルダとのうち少なくともどちらか一方の姿勢を調整するチルチング調整手段が設けられているので、第１のディスクホルダと第２のディスクホルダの夫々のディスク保持面同士の平行度を良好に調整することができ、２枚のマスターディスクで被転写用ディスクを平行度良く密着挟持することができる。
【発明を実施するための最良の形態】
【００２６】
以下添付図面に従って、本発明に係る磁気転写装置、転写ユニット、及び磁気記録媒体の好ましい実施の形態について詳説する。なお、各図において同一部材には同一の番号または記号を付している。
【００２７】
図１は、磁気転写装置の概念を表わす斜視図である。磁気転写装置１は、図１には記載していない被転写用ディスクであるスレーブディスクを、２枚のマスターディスクで密着挟持する第１のディスクホルダ１１と第２のディスクホルダ１２とを有する転写ユニット１０、第１のディスクホルダ１１と第２のディスクホルダ１２の上面及び下面に配置された磁石３１を有する転写用磁界印加手段３０、第１のディスクホルダ１１と第２のディスクホルダ１２又は磁石３１、３１を図の矢印Ａ方向に相対的に回転させる図示しない回転手段、及びスレーブディスクとマスターディスクとを転写ユニット１０に搬入、搬出する図示しない搬送手段等で構成されている。
【００２８】
図２は、磁気転写装置１の実施の形態を表わす側面図である。磁気転写装置１のベース１０ａ上には転写ユニット１０が設けられ、転写用磁界印加手段３０、３０は図のＸ方向の水平移動と図のθ方向の回転運動を行う駆動手段３２、３２で磁石３１、３１を保持している。
【００２９】
図３は、転写ユニット１０の構成を説明するための側面図である。転写ユニット１０は、第１のディスクホルダ１１、第２のディスクホルダ１２、第１のディスクホルダ１１の姿勢調整を行うチルチング調整手段２３、及び第２のディスクホルダ１２を第１のディスクホルダ１１に対して接近又は離間させる移動手段４０等から構成されている。
【００３０】
図３に示すように、転写ユニット１０のユニットベース２９には取り付け板２７が固定され、取り付け板２７にはチルチング調整手段２３を構成するチルチングベース２４が取り付けられている。チルチングベース２４には第１のディスクホルダ１１が図３のＹ方向（紙面に垂直方向）及びＺ方向の傾斜調整が可能に取り付けられている。
【００３１】
また、第１のディスクホルダ１１は、スレーブディスクとマスターディスクとを保持するホルダ板１３、ホルダ板１３を複数のＬ字状コマ１７、１７、…を介して固定保持する中間板１６、中間板１６を位置決め固定するディスクホルダベース１８等で構成されている。
【００３２】
ディスクホルダベース１８は、一方の面に凹部１８ａを有しており、ホルダ板１３を固定保持した中間板１６を凹部１８ａに挿入し、押しネジ１９で中間板１６の上部側面を押圧することにより中間板１６の他の側面２面がディスクホルダベース１８の凹部１８ａの壁面に当接し、中間板１６が位置決めされるようになっている。このため、押しネジ１９を緩め、ホルダ板１３を中間板１６ごとディスクホルダベース１８から取りはずしても又再現性良く位置決めが可能である。
【００３３】
このために、ホルダ板１３でスレーブディスクとマスターディスクとを保持した時のスレーブディスクとマスターディスクの中心線ＣＬを所定位置にあわせこむ調整を磁気転写装置１の外部で行うことができる。
【００３４】
取り付け板２７、チルチングベース２４、ディスクホルダベース１８、及び中間板１６の夫々中央部には図の点線で示す貫通孔が形成されており、転写用磁界印加手段３０の磁石３１が中心線ＣＬを中心に回転可能に挿入されるようになっている。
【００３５】
また、転写ユニット１０のユニットベース２９にはリニアガイド４２が設けられ、テーブル４１を図３のＸ方向に案内し、テーブル４１はモータ４４で駆動されるボールネジ４３によって図のＸ方向に移動されるようになっている。このリニアガイド４２、テーブル４１、ボールネジ４３、及びモータ４４等で移動手段４０を構成している。
【００３６】
移動手段４０のテーブル４１には取り付け板２８が固定されており、取り付け板２８には第２のディスクホルダ１２が取り付けられている。第２のディスクホルダ１２は、マスターディスクを保持するホルダ板２０、ホルダ板２０を複数のＬ字状コマ１７、１７、…を介して固定保持する中間板２１、中間板２１を位置決め固定するディスクホルダベース２２等で構成されている。
【００３７】
ディスクホルダベース２２は、一方の面に凹部２２ａを有しており、ホルダ板２０を固定保持した中間板２１を凹部２２ａに挿入し、押しネジ１９で中間板２１の上部側面を押圧することにより中間板２１の他の側面２面がディスクホルダベース２２の凹部２２ａの壁面に当接し、中間板２１が位置決めされるようになっている。このため、押しネジ１９を緩め、ホルダ板２０を中間板２１ごとディスクホルダベース２２から取りはずしても又再現性良く位置決めが可能である。
【００３８】
このために、ホルダ板２０でマスターディスクを保持した時のマスターディスクの中心線ＣＬを第１のディスクホルダ１１のホルダ板１３でスレーブディスクとマスターディスクとを保持した時のスレーブディスクとマスターディスクの中心線ＣＬとに一致させるようにあわせこむ調整を磁気転写装置１の外部で行うことができる。
【００３９】
また、取り付け板２８、ディスクホルダベース２２、及び中間板２１の夫々中央部には図の点線で示す貫通孔が形成されており、他方側の転写用磁界印加手段３０の磁石３１が中心線ＣＬを中心に回転可能に挿入されるようになっている。
【００４０】
第２のディスクホルダ１２は前述のように、移動手段４０によって図のＸ方向に接近又は離間されるようになっているので、第２のディスクホルダ１２を第１のディスクホルダ１１に向けて接近させることにより、磁気転写されるスレーブディスクは第１のディスクホルダ１１及び第２のディスクホルダ１２に保持されたマスターディスクに両側から密着保持されるようになっている。
【００４１】
図４は、第１のディスクホルダ１１のホルダ板１３、及び第２のディスクホルダ１２のホルダ板２０を表わす断面図である。第１のディスクホルダ１１のホルダ板１３は、円板状で周縁部に薄肉部が形成されており、この薄肉部で複数のＬ字状コマ１７、１７、…を介して中間板１６に固定保持されるようになっている。
【００４２】
また、ホルダ板１３の内部は大きな凹部になっており、凹部の底面がディスク受け面１３ｂになっている。また、凹部の中心部には段付凸部１３ａが形成され、段付凸部１３ａの根元側外周でマスターディスク９２の中心孔と嵌合してマスターディスク９２を位置決めし、段付凸部１３ａの先端側外周でスレーブディスク９１の中心孔と嵌合し、スレーブディスク９１を位置決めする。
【００４３】
ホルダ板１３の凹部の底面であるディスク受け面１３ｂには緩衝材１５が取り付けられている。また、ホルダ板１３の凹部と薄肉部との間の厚肉部には溝１３ｃが形成され、溝１３ｃにはОーリングからなるシール材１４が設けられている。
【００４４】
ホルダ板１３の凹部の底面、段付凸部１３ａの中心部、及び段付凸部１３ａの段付部には図４の２点鎖線で示す真空吸引路１３ｄが形成され、凹部底面の吸引路でマスターディスク９２を吸引し、段付凸部１３ａの段付部の吸引路でスレーブディスク９１を吸引し、他の吸引部で全体を吸引する。
【００４５】
なお、段付凸部１３ａの外周面には、必要に応じＤＬＣ（ｄｉａｍｏｎｄ  ｌｉｋｅ  ｃａｒｂｏｎ）膜等の硬質保護膜を被覆し、ディスクとの摩擦に伴う塵埃の発生を低減するようにしてもよい。また、前述の説明では段付凸部１３ａがホルダ板１３と一体で形成されているが、段付凸部１３ａを別部品で形成し、ホルダ板１３の中央に取り付けてもよい。
【００４６】
第２のディスクホルダ１２のホルダ板２０も円板状で周縁部に薄肉部が形成されており、この薄肉部で複数のＬ字状コマ１７、１７、…を介して中間板２１に固定保持されるようになっている。
【００４７】
また、ホルダ板２０の内部も大きな凹部になっており、凹部の底面がディスク受け面２０ａになっている。また、ディスク受け面２０ａには緩衝材１５が取り付けられている。ホルダ板２０の凹部の底面には図４の２点鎖線で示す真空吸引路２０ｂが形成され、マスターディスク９３を吸引する。
【００４８】
図４に示すようにホルダ板１３でマスターディスク９２とスレーブディスク９１を保持し、ホルダ板２０でマスターディスク９３を保持した状態でホルダ板２０をホルダ板１３に向けて近接させ、マスターディスク９２とマスターディスク９３とでスレーブディスク９１を挟み込んだときに、ホルダ板２０の凹部と薄肉部との間の厚肉部がホルダ板１３のＯ−リング１４に僅かに当接するように、ホルダ板１３又はホルダ板２０の凹部の深さが決定されている。
【００４９】
ホルダ板２０をホルダ板１３に向けて近接させ、マスターディスク９２とマスターディスク９３とでスレーブディスク９１を挟み込むと、ホルダ板１３の凹部とホルダ板２０の凹部とで形成される空間はシール材としてのＯ−リング１４で密閉されるので、この状態で真空吸引路１３ｄ及び２０ｂから内部のエアを吸引することによりマスターディスク９２とスレーブディスク９１、及びスレーブディスク９１とマスターディスク９３との隙間がなくなり、スレーブディスク９１はマスターディスク９２とマスターディスク９３とで密着挟持される。
【００５０】
この時、ホルダ板１３のディスク受け面１３ｂとホルダ板２０のディスク受け面２０ａとが平行になっていないと、ディスク同士が片当たりしてスレーブディスク９１とマスターディスク９２及びマスターディスク９３との密着性が損なわれ、磁気転写時に信号抜けや信号変形等の転写不良が発生する。
【００５１】
図５は、第１のディスクホルダ１１のホルダ板１３のディスク受け面１３ｂを第２のディスクホルダ１２のホルダ板２０のディスク受け面２０ａに対して平行になるように、第１のディスクホルダ１１の姿勢を調整するチルチング調整手段２３を表わしたもので、図５（ａ）は正面図、図５（ｂ）は側面図である。
【００５２】
チルチング調整手段２３は、チルチングベース２４、４個の先端が球形の微調ネジ（調整ボルト）２５、２５、…と４個のクランプネジ２６、２６、…とからなる調整部材とで構成されている。微調ネジ２５は押しネジでクランプネジ２６は引きネジとして作用する。
【００５３】
チルチングベース２４は、中央に貫通孔２４ａが形成された外形が矩形の板状物で、貫通孔２４ａの外側は円形の厚肉部となっており、厚肉部の外側が薄肉部になっている。チルチングベース２４の４隅の薄肉部には夫々ネジ孔が形成され、微調ネジ２５が螺合してディスクホルダ１１に保持されるマスターディスク９２の中心の回りに配置され、先端の球形部が第１のディスクホルダ１１のディスクホルダベース１８の裏面に当接している。
【００５４】
また、チルチングベース２４の４隅の微調ネジ２５の外側には夫々１個の孔が形成されクランプネジ２６が挿入されている。クランプネジ２６はディスクホルダベース１８の裏面の４隅に形成されたネジ孔と螺合し、ディスクホルダベース１８をチルチングベース２４側に引き寄せるようになっている。
【００５５】
４個の微調ネジ２５、２５、…の内の１個、例えば図５（ａ）における右下の微調ネジ２５を緩めてディスクホルダベース１８の裏面への当接を解除した状態とし、例えば右上の微調ネジ２５をねじ込むと、ディスクホルダベース１８は図５（ａ）における左側の２個の微調ネジ２５、２５が軸心部材となり、その先端を結ぶ直線を回転軸心ＲＣとしてそれを中心にディスクホルダベース１８は図のＸ方向に傾斜調整される。この場合、右上の微調ネジ２５が調整部材となりその中心が調整点Ａである。
【００５６】
また、図５（ａ）における下側の２個の微調ネジ２５、２５を軸心部材とし、上側のどちらかの微調ネジ２５を調整部材とした場合、ディスクホルダベース１８は下側の２個の微調ネジ２５、２５の先端を結ぶ直線を回転軸心ＲＣとしてそれを中心に図のＸ方向に傾斜調整される。
【００５７】
傾斜調整をした後は、緩めておいた微調ネジ２５をディスクホルダベース１８の裏面に当接させるとともに、４個のクランプネジ２６、２６、…で固定する。このように、４個の微調ネジ２５、２５、…の内の３個を用いてディスクホルダベース１８のチルチング調整を行う。また、クランプネジ２６を調整部材としてディスクホルダベース１８のチルチング調整を行うようにすることもできる。
【００５８】
調整点Ａと回転軸心ＲＣとの距離Ｌは、スレーブディスク９１及びマスターディスク９２の外径の１倍乃至１５倍とするのが好ましい。この距離Ｌがディスク外径よりも小さいと微小な調整が困難になり、ディスク外径の１５倍よりも大きいと装置が必要以上に大型化してしまうので好ましくない。
【００５９】
また、スレーブディスク９１及びマスターディスク９２の中心の保持位置は回転軸心ＲＣと調整点Ａとの間に配置するのが好ましい。スレーブディスク９１及びマスターディスク９２の中心の保持位置が回転軸心ＲＣより外側に配置された場合は、調整がやり易い位置もあるが逆にやり難い位置もあり、なお且つ装置がが大型化する。また、スレーブディスク９１及びマスターディスク９２の保持位置が調整点Ａより外側に配置された場合は調整倍率が大きくなり、調整がやり難くなるとともに、装置がが大型化するので好ましくない。
【００６０】
なお、調整部材としての微調ネジ２５又はクランプネジ２６は少なくとも３個は必要で、それ以上の複数個あればよい。また、１対の押しネジと引きネジを形成する微調ネジ２５とクランプネジ２６とは、チルチングベース２４及びディスクホルダベース１８の撓みを避けるためできるだけ接近して配置するのが好ましい。
【００６１】
このようにチルチング調整手段２３によって第１のディスクホルダ１１のホルダ板１３のディスク受け面１３ｂと、第２のディスクホルダ１２のホルダ板２０のディスク受け面２０ａとの平行度を精度良く調整することができるので、ディスク同士が片当たりしてスレーブディスク９１とマスターディスク９２及びマスターディスク９３との密着性が損なわれ、磁気転写時に信号抜けや信号変形等の転写不良が発生するという問題が解消される。
【００６２】
前述の転写ユニット１０を構成する部材のうち少なくとも第１のディスクホルダ１１、第２のディスクホルダ１２、第１のディスクホルダ１１の姿勢調整を行うチルチング調整手段２３、及び取り付け板２７、２８の材質は、例えばＳＵＳ３０４等の非磁性材料が用いられる。
【００６３】
以上説明した磁気転写装置１の転写ユニット１０の作用について次に説明する。先ず、中間板１６の外形を基準として、ホルダ板１３でスレーブディスク９１とマスターディスク９２とを保持した時のスレーブディスク９１とマスターディスク９２の中心線ＣＬが所定位置になるように調整し、ホルダ板１３を中間板１６に固定する。この時、Ｌ字状コマ１７、１７、…を介してネジで固定するので、固定時にホルダ板１３がずれることがない。
【００６４】
この調整は、磁気転写装置１の外部でいわゆる外段取りで行う。次いで中間板１６をディスクホルダベース１８の凹部１８ａに挿入し、押しネジ１９で中間板１６を押圧して位置決めし、ネジで固定する。
【００６５】
第２のディスクホルダ１２のホルダ板２０も同様にして、ホルダ板２０でマスターディスク９３を保持した時のマスターディスク９３の中心線ＣＬが所定位置になるように調整し、ホルダ板２０を中間板２１に固定する。この時も、Ｌ字状コマ１７、１７、…を介してネジで固定する。この調整も、外段取りで行う。次いで中間板２１をディスクホルダベース２２の凹部２２ａに挿入し、押しネジ１９で中間板２１を押圧して位置決めし、ネジで固定する。
【００６６】
次に、第１のディスクホルダ１１のホルダ板１３のディスク受け面１３ｂが第２のディスクホルダ１２のホルダ板２０のディスク受け面２０ａに対して平行になるように、第１のディスクホルダ１１の姿勢を調整する。
【００６７】
この調整はチルチング調整手段２３にて行う。即ち、チルチング調整手段２３に設けられた複数の微調ネジ２５又はクランプネジ２６のうち少なくとも３個を用いて行う。この場合、２個の微調ネジ２５、２５の先端を結ぶ直線で形成される回転軸心ＲＣから調整点Ａまでの距離Ｌがスレーブディスク９１及びマスターディスク９２の外径の１倍乃至１５倍になっているので、調整がやり易くまた装置の大型化が抑制されている。
【００６８】
以上のホルダ板１３、２０の位置調整、及びディスクホルダ１１のチルチング調整によって、ディスクホルダ１１の前述した中心線ＣＬとディスクホルダ１２の前述した中心線ＣＬとが同一直線上で一致する。
【００６９】
次に、ディスクホルダ１１のホルダ板１３にマスターディスク９２及びスレーブディスク９１を挿入し、真空吸引路１３ｄで真空吸引して保持する。また、ディスクホルダ１２のホルダ板２０にマスターディスク９３を挿入し、真空吸引路２０ｂで真空吸引保持する。次いで移動手段４０を作動させ、ディスクホルダ１２をディスクホルダ１１に向けて接近させ、ホルダ板１３に保持されたスレーブディスク９１にホルダ板２０に保持されたマスターディスク９３を押付ける。
【００７０】
この押付けにより、緩衝材１５、１５に反発力が生じるとともに、ホルダ板１３の凹部とホルダ板２０の凹部とで形成される空間はシール材としてのＯ−リング１４で密閉されているので、真空吸引路１３ｄ、２０ｂからの吸引によりマスターディスク９２とスレーブディスク９１との接触面、及びスレーブディスク９１とマスターディスク９３との接触面が互いに吸引され、スレーブディスク９１がマスターディスク９２とマスターディスク９３によって確実に密着挟持される。
【００７１】
このように、スレーブディスク９１がマスターディスク９２とマスターディスク９３によって確実に密着挟持されるので、転写用磁界印加手段３０、３０から転写磁界を印加し、マスターディスク９２及びマスターディスク９３の磁気情報をスレーブディスク９１に転写する際に、信号抜けや信号変形等の転写不良が発生することがなく、良質の磁気記録媒体が得られる。
【００７２】
図６は、チルチング調整手段の別の実施形態を表わしたもので、図６（ａ）は平面図、図６（ｂ）は側面図である。この別の実施形態のチルチング調整手段２３Ａは、第１チルトベース５１、第１傾斜板５２、軸心部材５５ａ、及び図示しない調整部材である微調ネジからなる第１の調整手段２３ａと、第２チルトベース５３、第２傾斜板５４、軸心部材５５ｂ、及び図示しない調整部材である微調ネジからなる第２の調整手段２３ｂとで構成されている。
【００７３】
第１傾斜板５２は、軸心部材５５ａを第１の回転軸心Ｃ１として第１チルトベース５１に対して回転可能に設けられ、調整部材である微調ネジを図の調整点Ａ１に作用させることによって１方向の傾斜調整が可能になっている。傾斜調整後はクランプ板５６にネジで固定される。
【００７４】
第２傾斜板５４も同様に、軸心部材５５ｂを第２の回転軸心Ｃ２として第２チルトベース５３に対して回転可能に設けられ、調整部材である微調ネジを図の調整点Ａ２に作用させることによって１方向の傾斜調整が可能になっており、傾斜調整後はクランプ板５６にネジで固定される。
【００７５】
第２の調整手段２３ｂは、図６（ｂ）に示すように、第２の調整手段２３ｂの第２の回転軸心Ｃ２と第１の調整手段２３ａの第１の回転軸心Ｃ１とが直交もしくは略直交するように第１の調整手段２３ａの第１傾斜板５２に重ねて固定され、第１のディスクホルダ１１が第２傾斜板５４に取り付けられる。
【００７６】
微調ネジを図の調整点Ａ１及び図の調整点Ａ２に作用させることにより、第１のディスクホルダ１１のチルチング調整がなされる。この時、第１の調整手段２３ａの第１の回転軸心Ｃ１から調整点Ａ１までの距離Ｌ、及び、第２の調整手段２３ｂの第２の回転軸心Ｃ２から調整点Ａ２までの距離Ｌは、第１のディスクホルダ１１に密着挟持されるマスターディスク９２及びスレーブディスク９１の外周直径の１倍乃至１５倍になっている。
【００７７】
また、マスターディスク９２及びスレーブディスク９１は第１の調整手段２３ａの第１の回転軸心Ｃ１と調整点Ａ１との間に配置されるとともに、第２の調整手段２３ｂの第２の回転軸心Ｃ２と調整点Ａ２との間に配置されている。
【００７８】
従って、第１のディスクホルダ１１のホルダ板１３のディスク受け面１３ｂが第２のディスクホルダ１２のホルダ板２０のディスク受け面２０ａに対して平行になるように、即ちマスターディスク９２とマスターディスク９３が平衡になるように行う第１のディスクホルダ１１のチルチング調整を容易に行うことができ、装置も必要以上に大型化しない。
【００７９】
以上説明したように、本発明に係る磁気転写装置の転写ユニットによれば、第１のディスクホルダと第２のディスクホルダを有し、それらのうちどちらか一方の姿勢を調整するチルチング調整手段が設けられ、夫々のディスク保持面同士の平行度を良好に調整することができるので、２枚のマスターディスクで被転写用の磁気ディスクを平行度良く密着挟持することができる。
【００８０】
また、本発明の磁気転写装置によれば、２枚のマスターディスクとスレーブディスクとの間の片当たりによる密着不良によって信号抜けや信号変形等の転写不良が発生することが防止される。
【００８１】
また本発明の磁気記録媒体によれば、マスターディスクから転写された磁気情報は信号抜けや信号変形等の転写不良がなく、マスターディスクの情報が正確に記録された磁気記録媒体となる。
【００８２】
なお、前述した実施の形態では、チルチング調整手段２３を固定側の第１のディスクホルダ１１側に設けたが、本発明はこれに限らず、チルチング調整手段２３を移動手段４０によって移動される第２のディスクホルダ１２側に設けてもよい。
【００８３】
また、磁気転写装置１の構成について、スレーブディスク９１及びマスターディスク９２、９３の軸心を水平方向に配置した構成で説明したが、水平方向に限らず、垂直方向、あるいは水平方向に対して所定角度傾斜した方向に配置した構成の磁気転写装置であっても、本発明の転写ユニット１０はそのまま適用することができる。
【図面の簡単な説明】
【００８４】
【図１】磁気転写装置の概念を表わす斜視図
【図２】本発明に係る磁気転写装置の実施の形態を表わす側面図
【図３】本発明に係る転写ユニットの実施の形態を表わす側面図
【図４】ディスクホルダのホルダ板を表わす断面図
【図５】チルチング調整手段を表わす正面図及び側面図
【図６】チルチング調整手段の別の実施形態を表わす平面図及び側面図
【図７】ディスクホルダの一例を示す断面図
【符号の説明】
【００８５】
１…磁気転写装置、１０…転写ユニット、１１…第１のディスクホルダ、１２…第２のディスクホルダ、２３チルチング調整手段、２３ａ…第１の調整手段、２３ｂ…第２の調整手段、２５…微調ネジ（軸心部材、調整部材、調整ボルト）、２６…クランプネジ（調整部材）、４０…移動手段、５５ａ，５５ｂ…軸心部材、９１…スレーブディスク（被転写ディスク、磁気記録媒体）９２，９３…マスターディスク、Ａ，Ａ１，Ａ２…調整点、Ｃ１…第１の回転軸心、Ｃ２…第２の回転軸心、Ｌ…回転軸心と調整点との距離、ＲＣ…回転軸心
【図１】
2006185503.tif 000003
【図２】
2006185503.tif 000004
【図３】
2006185503.tif 000005
【図４】
2006185503.tif 000006
【図５】
2006185503.tif 000007
【図６】
2006185503.tif 000008
【図７】
2006185503.tif 000009